(57)【要約】      （修正有）【課題】本体内集塵室への集塵ケースの着脱がスムーズで、集塵ケースと風路とのシール性及び集塵ケース自体のシール性が損なわれない電気掃除機を提供する。【解決手段】ホースを接続するホース挿入口２と、ホース挿入口本体内側に設けられた風路シール体２３と、本体内に配設された電動送風機１８と、本体内の集塵室に着脱自在に配設され、電動送風機１８が発生させる負圧により吸入された塵埃を捕集する集塵ユニット２４とを備え、集塵ユニット２４は集塵ケースとフィルタ体からなり、風路シール体と集塵ケースの一面が対向するよう集塵室へ装着され、集塵ケースの風路シール体と対向する対向面には吸入口が設けられ、吸入口外周には対向面から風路シール体２３方向に風路シール体２３と当接可能な所定の高さで突出させた全周リブが設けられ、全周リブと同位高さから対向面と同位高さとなるよう除変させた複数の三角状リブを吸入口から放射状に設けた。【選択図】図３
2011010983.tif 000002
【特許請求の範囲】
【請求項１】
本体に設けられたホースを接続挿入するホース挿入口と、
前記ホース挿入口の前記本体内側に設けられた風路シール体と、
前記本体内に配設された電動送風機と、
前記本体内に設けられた集塵室に着脱自在に配設され、前記電動送風機が発生させる負圧により吸入された塵埃を捕集する集塵ユニットと、を備え、
前記集塵ユニットは集塵ケースとフィルタ体からなり、前記風路シール体と前記集塵ケースの一面が対向するよう前記集塵室へ装着され、前記集塵ケースの前記風路シール体と対向する対向面には吸入口が設けられおり、前記吸入口外周には前記対向面から前記風路シール体方向に前記風路シール体と当接可能な所定の高さで突出させた全周リブが設けられ、前記全周リブと同位高さから前記対向面と同位高さとなるよう除変させた複数の三角状リブを前記吸入口から放射状に設けたことを特徴とする電気掃除機。
【請求項２】
前記集塵ケースは、前記風路シール体と対向する前記対向面の３辺に側壁が設けられており、側壁の無い辺と隣接する側壁の有る２辺方向へ向かって設けられた前記三角状リブは、他の辺方向へ向かって設けられた前記三角状リブよりも長くしたことを特徴とする請求項１記載の電気掃除機。
【請求項３】
前記吸入口外周には、前記対向面から前記風路シール体方向に、前記風路シール体と当接可能な所定の高さで突出させた全周リブが複数設けられていることを特徴とする請求項１または請求項２いずれかに記載の電気掃除機。
【請求項４】
前記三角状リブに代えて、三角状凸体を設けたことを特徴とする請求項１または請求項２または請求項３いずれかに記載の電気掃除機。
【請求項５】
本体に設けられたホースを接続挿入するホース挿入口と、
前記ホース挿入口の前記本体内側に設けられた風路シール体と、
前記本体内に配設された電動送風機と、
前記本体内に設けられた集塵室に着脱自在に配設され、前記電動送風機が発生させる負圧により吸入された塵埃を捕集する集塵ユニットと、を備え、
前記集塵ユニットは集塵ケースとフィルタ体からなり、前記風路シール体と前記集塵ケースの一面が対向するよう前記集塵室へ装着され、前記集塵ケースの前記風路シール体と対向する対向面には吸入口が設けられおり、前記吸入口は前記対向面から前記風路シール体方向に、前記風路シール体と当接可能な所定の高さで、かつ前記吸入口よりも大きい範囲で膨出させたことを特徴とする電気掃除機。
【発明の詳細な説明】
【技術分野】
【０００１】
本発明は、吸引した塵埃を捕集する集塵ユニットを備えた電気掃除機に関するもので、詳しくは集塵ユニットの着脱性及びシール性を改善した電気掃除機に関する。
【背景技術】
【０００２】
従来、本体内の集塵室に着脱自在に収容される集塵ユニットの集塵ケースに塵埃を吸入するための吸入口が設けられ、その吸入口外周に風路シール体と当接させシールするためのリブが設けられた電気掃除機が開示されている。（例えば、特許文献１参照）。
【先行技術文献】
【特許文献】
【０００３】
【特許文献１】特開２００６−２６０１８号（第４頁、図３）
【発明の概要】
【発明が解決しようとする課題】
【０００４】
しかしながら従来の電気掃除機は、集塵ケースの吸入口外周に設けられた風路シール体と当接させるためのリブが、集塵ユニットの集塵室への装着時に風路シール体に引っかかり、装着性が悪かった。さらに集塵ケースは一面が無い形状であるため変形し易く、集塵ユニットを集塵室にセットする時、吸入口の設けられている面が変形する場合があり、風路シール体と集塵ケース吸入口外周リブとの当接が不安定となることがあるため、集塵ケースの吸入口と風路シール体とのシール性、及び集塵ユニット自体のシール性が損なわれる等の課題があった。
【０００５】
本発明は、上記課題に鑑み、本体内集塵室への集塵ユニットの着脱がスムーズで、集塵ケースの吸入口と風路とのシール性及び集塵ユニット自体のシール性が損なわれない電気掃除機を提供することを目的とする。
【課題を解決するための手段】
【０００６】
本発明の電気掃除機は、本体に設けられたホースを接続挿入するホース挿入口と、ホース挿入口の本体内側に設けられた風路シール体と、本体内に配設された電動送風機と、本体内に設けられた集塵室に着脱自在に配設され、電動送風機が発生させる負圧により吸入された塵埃を捕集する集塵ユニットとを備え、集塵ユニットは集塵ケースとフィルタ体からなり、風路シール体と集塵ケースの一面が対向するよう集塵室へ装着され、集塵ケースの風路シール体と対向する対向面には吸入口が設けられおり、吸入口外周には対向面から風路シール体方向に風路シール体と当接可能な所定の高さで突出させた全周リブが設けられ、全周リブと同位高さから対向面と同位高さとなるよう除変させた複数の三角状リブを吸入口から放射状に設けたものである。
【発明の効果】
【０００７】
本発明によれば、三角状リブがガイドとなって集塵室に集塵ユニットをスムーズに装着できるようになり、装着性能が向上するという効果がある。また、三角状リブによる補強により吸入口の設けられている面の変形が抑制され、シール性を向上させることができるという効果がある。
【図面の簡単な説明】
【０００８】
【図１】本発明の実施の形態１における電気掃除機の全体構成を示す斜視図である。
【図２】本発明の実施の形態１における電気掃除機本体の蓋体を開き、集塵ユニットを外した状態の斜視図である。
【図３】本発明の実施の形態１における電気掃除機本体の断面図である。
【図４】本発明の実施の形態１における集塵ユニットの外観を示す斜視図である。
【図５】本発明の実施の形態１における集塵ケース本体をフィルタ体側から見た斜視図である。
【図６】本発明の実施の形態１における集塵ユニットが集塵室へセットされる途中の状態の吸入口と風路シール体の部分断面図である。
【図７】本発明の実施の形態１における集塵ユニットが集塵室へセット完了直前の状態の吸入口と風路シール体の部分断面図である。
【図８】本発明の実施の形態１における集塵ユニットが集塵室へセット完了状態の吸入口と風路シール体の部分断面図である。
【図９】本発明の実施の形態１における集塵ユニットが集塵室へセットされる途中の状態の吸入口と風路シール体の拡大断面図である。
【図１０】本発明の実施の形態１における集塵ユニットが集塵室へセット完了直前の状態の吸入口と風路シール体の拡大断面図である。
【図１１】本発明の実施の形態１における集塵ユニットが集塵室へセット完了状態の吸入口と風路シール体の拡大断面図である。
【図１２】本発明の実施の形態２における集塵ユニットの外観を示す斜視図である。
【図１３】本発明の実施の形態３における集塵ユニットの外観を示す斜視図である。
【図１４】本発明の実施の形態４における集塵ユニットの外観を示す斜視図である。
【図１５】本発明の実施の形態４における集塵ユニットの断面図である。
【発明を実施するための形態】
【０００９】
実施の形態１
図１は本発明の実施の形態１における電気掃除機の全体構成を示す斜視図、図２は本発明の実施の形態１における電気掃除機本体の蓋体を開き、集塵ユニットを外した状態の斜視図、図３は本発明の実施の形態１における電気掃除機本体の断面図、図４は本発明の実施の形態１における集塵ユニットの外観を示す斜視図、図５は本発明の実施の形態１における集塵ケースをフィルタ体側から見た斜視図、図６は本発明の実施の形態１における集塵ユニットが集塵室へセットされる途中の状態の吸入口と風路シール体の部分断面図、図７は本発明の実施の形態１における集塵ユニットが集塵室へセット完了直前の状態の吸入口と風路シール体の部分断面図、図８は本発明の実施の形態１における集塵ユニットが集塵室へセット完了状態の吸入口と風路シール体の部分断面図、図９は本発明の実施の形態１における集塵ユニットが集塵室へセットされる途中の状態の吸入口と風路シール体の拡大断面図、図１０は本発明の実施の形態１における集塵ユニットが集塵室へセット完了直前の状態の吸入口と風路シール体の拡大断面図、図１１は本発明の実施の形態１における集塵ユニットが集塵室へセット完了状態の吸入口と風路シール体の拡大断面図である。
なお、それぞれの図において、同じ部分または相当する部分には同じ符号を付し、一部の説明を省略する。また、複数の部材であって、符号に「ａ、ｂ等」を付記するものについて、共通する内容を説明する際には、符号に付した「ａ、ｂ等」を削除して、その一方の
部材について説明する。
【００１０】
図１から図２により、本発明の実施の形態１における電気掃除機全体の構成を説明する。図１に示すように、電気掃除機は、本体１にホースユニット３の一端がホース挿入口２に着脱自在に挿入されている。ホースユニット３は、例えば蛇腹状のホース４と電気掃除機を取り回すための把持部５からなり、把持部５には電気掃除機の操作を行うための操作部６が設けられている。
【００１１】
把持部５には、ホース４と接続されている逆の端部に複数のパイプ状管を継ぎ足すタイプの延長管７が着脱自在に接続されている。本発明の実施の形態１では延長管７を、複数のパイプ状管を継ぎ足すタイプとしたが、延長管のタイプは、複数のパイプ状管を継ぎ足すもの、またはパイプ状管を伸縮させるもの、あるいは隙間用アタッチメントを備える分岐パイプ状があり、延長管のタイプは本発明には関係がないので適宜選択が可能である。
【００１２】
延長管７には、把持部５と接続されている逆の端部に床用吸込具９が継手管８を介して着脱自在に接続されていて、継手管８は床用吸込具９に対して回動自在に連結されている。床用吸込具には、回転ブラシを備えたものや、拭き磨き機能を備えたものがあるが、床用吸込具の形態は本発明には関係がないので適宜選択が可能である。
【００１３】
本体１には電気掃除機取り回し時に使われるキャスタ１０が下部に、車輪１３が両側部に一対設けられていて、本体内に設けられコードが巻取り自在のコードリール（図示せず）を備えた後述する電動送風機１８等に電源を供給するための電源コード１２が設けられている。
【００１４】
また、本体１には、本体１を移動させたりする時に把持する本体把持部１３、後述する電動送風機１８が運転された時の排気を本体１外へ排出するための排気口２１が、後述する電動送風機室１７と本体１外部とを連通するように設けられている。
【００１５】
さらに、本体１には、図２に示すように、蓋体１４が開閉自在に軸支されており、閉時は蓋体ロック手段１５により保持されている。蓋体１４の下部には後述する集塵ユニット２４を着脱自在に収容する集塵室１６が設けられている。
【００１６】
次に、図３により、本発明の実施の形態１における電気掃除機内部の構成を説明する。図３に示すように本体１内には、電動送風機室１７が設けられており、運転が開始されると塵埃を吸入するべく負圧を発生させる電動送風機１８が配設されている。
【００１７】
また、本体１内には、配線基板と配線基板に搭載されたマイコン等の電子部品からなる制御部２０が設けられていて、操作部６と電線（図示せず）等により電気的に接続されている。本発明の実施の形態１では、制御部２０の配設位置を本体１内としたが、操作部６近傍の把持部５内でもよく、制御部２０の配設位置は本発明には関係がないので適宜選択が可能である。
【００１８】
電動送風機室１７は、通風口（図示せず）が設けられた隔壁１９を介して集塵室１６と連通している。集塵室１６は、本体前壁２２に設けられたホース挿入口２と連通していて、本体前壁２２に設けられたホース挿入口２の本体１内側周縁には、風路シール体２３が設けられている。
【００１９】
次に、図４から図５により、本発明の実施の形態１における集塵ユニットの構成を説明する。図４に示すように、集塵ユニット２４は、吸入した塵埃を捕集する集塵ケース２５と、集塵ケース２５とヒンジ部２７で回動自在に軸支されたフィルタ体２６とで開閉自在に構成されている。
【００２０】
また、集塵ユニット２４の集塵室１６への脱着の際に把持する集塵ユニット把持部３１が設けられており、把持部３１を把持し装着方向Ｓの方向に集塵室１６へ装着するようになっている。
【００２１】
集塵ケース２５は図５に示すように、凹状で１辺の側壁が無い形状をしている。フィルタ体２６の外周には図４に示すようにフィルタ体シール体２８が装着されており、集塵ケース２５とフィルタ体２６が閉じられている状態のときは、フィルタ体シール体２８によりシールされている。
【００２２】
また、集塵ケース２５の風路シール体２３と対向する面には吸入口２９が設けられており、吸入口２９の外周には全周リブ３２が、風路シール体２３側へ突出する方向に風路シール体２３と当接しシールが可能な高さ、例えば２ｍｍから５ｍｍ程度の高さで、２ｍｍであれば全周が２ｍｍの高さとなるように設けられている。ここでリブとは、例えば板厚が１ｍｍから２．５ｍｍ程度の中空ではない板状の突出形状のことである。
【００２３】
さらに、全周リブ３２と同位高さから、全周リブ３２が設けられている面と同位高さになるように除変させた三角状リブ小３３ａ〜３３ｆ、三角状リブ大３４ａ〜３４ｆが吸入口２９から放射状に設けられている。なお、本発明の実施の形態１では三角状リブ小３３と三角状リブ大３４をそれぞれ６個ずつ設けてあるが、この数に限定されるものではなく、三角状リブ小３３と三角状リブ大３４を同数にするという限定もされるものではない。
【００２４】
図５に示したように集塵ケース２５は、凹状で１辺の側壁が無い形状をしていて、その壁面が無い辺が挿入時に最初に力が掛かる部位となっている。そのため、側壁が無い辺に隣接する辺の側壁は開く方向への力が掛かり易く、開く方向への力が掛かると、吸入口２９が設けられている面に歪みが生じ易いので、吸入口２９が設けられている面を補強し、その歪みを抑制するよう側壁が無い辺に隣接する辺の側壁へ向かって設けられている三角状リブ大３４ａ〜３４ｆは三角状リブ小３３ａ〜３３ｆに比べ長い形状となっている。
【００２５】
それから、集塵ユニット２４内には、塵埃と一緒に吸入された空気流と塵埃を分離するための旋廻を発生させるサイクロン部材３０が設けられている。
なお、本発明の実施の形態１では、集塵ユニットに塵埃を直接捕集するサイクロン式の集塵ユニットを備えているが、集塵ユニットには、塵埃を紙パックに捕集する紙パック式もあり、本発明において集塵方式は関係ないので、サイクロン式、紙パック式は適宜選択が可能である。
【００２６】
次に、図６から図１１により、本発明の実施の形態１における集塵ユニットの集塵室への装着動作を説明する。図６及び図９に示すように、集塵ユニット２４を集塵室１６に装着しようとすると、風路シール体２３に全周リブ３２と三角状リブ３３が接触しながら摺動する。
【００２７】
装着途中の摺動時には図７及び図１０に示すように、三角状リブ３３が全周リブ３２の高さまで風路シール体２３をガイドするようになっている。装着が完了すると図８及び図１１に示すように、風路シール体２３と全周リブ３２が当接した状態で吸入口２９がシールされる。
【００２８】
以上の構成、動作により、集塵室に集塵ユニットを装着する際に三角状リブがガイドとなって、集塵ケースの吸入口外周に設けられた全周リブの角が風路シール体へ引っかかることがなくスムーズに装着でき、装着性能が向上するという効果を奏するものである。また、三角状リブを設けたことにより、吸入口が設けられている面が補強されて変形が抑制されることから、風路シール体との当接状態が安定し、シール性が向上するという効果を奏するものである。さらには、三角状リブを設けたことにより、吸入口が設けられている面が補強されて変形が抑制されることから、集塵ケースとフィルタ体の組合せ状態も安定し、フィルタ体シール体によるシール性も向上するという効果を奏するものである。
【００２９】
実施の形態２
図１２は本発明の実施の形態２における集塵ユニットの外観を示す斜視図である。
なお、図１２において、実施の形態１の図１から図１１に示した部分と同じ部分または相当する部分には同じ符号を付し、一部の説明を省略する。また、複数の部材であって、符号に「ａ、ｂ等」を付記するものについて、共通する内容を説明する際には、符号に付した「ａ、ｂ等」を削除して、その一方の部材について説明する。
【００３０】
図１２により、本発明の実施の形態２における集塵ユニットの構成を説明する。図１２に示すように、３５は、吸入口１９の外周に設けられた全周リブ３２の、さらに外周に設けられた全周リブである。なお、本発明の実施の形態２では外周リブが２本の構成を説明したが、外周リブの本数は２本に限定されるものではなく、適宜追加が可能である。
【００３１】
以上の構成により、全周リブを複数設けたので、吸入口が設けられている面がさらに変形を抑制できることから、風路シール体との当接状態が安定し、シール性が向上するという効果を奏するものである。
【００３２】
実施の形態３
図１３は本発明の実施の形態３における集塵ユニットの外観を示す斜視図である。
なお、図１３において、実施の形態１の図１から図１１に示した部分と同じ部分または相当する部分には同じ符号を付し、一部の説明を省略する。また、複数の部材であって、符号に「ａ、ｂ等」を付記するものについて、共通する内容を説明する際には、符号に付した「ａ、ｂ等」を削除して、その一方の部材について説明する。
【００３３】
図１３により、本発明の実施の形態３における集塵ユニットの構成を説明する。図１３に示すように、集塵ケース２５の風路シール体２３と対向する面には吸入口２９が設けられており、吸入口２９の外周には全周リブ３２が、風路シール体２３側へ突出する方向に風路シール体２３とのシールが可能な高さ、例えば２ｍｍから５ｍｍ程度の高さで、２ｍｍであれば全周が２ｍｍの高さとなるように設けられている。ここでリブとは、例えば板厚が１ｍｍから２．５ｍｍ程度の中空ではない板状の突出形状のことである。
【００３４】
さらに、全周リブ３２と同位高さから、全周リブ３２が設けられている面と同位高さになるように除変させた三角状凸体小３６ａ〜３６ｆ、三角状凸体大３７ａ〜３７ｆが吸入口２９から放射状に設けられている。ここで凸体とは、例えば幅が４ｍｍから８ｍｍ程度の中空の突出形状のことである。
【００３５】
なお、本発明の実施の形態３では三角状凸体小３６と三角状凸体大３７をそれぞれ６個ずつ設けてあるが、この数に限定されるものではなく、三角状凸体小３６と三角状凸体大３７を同数にするという限定もされるものではない。
【００３６】
以上の構成により、実施の形態１と同様に、集塵室に集塵ユニットを装着する際に三角状凸体がガイドとなって、集塵ケースの吸入口外周に設けられた全周リブの角が風路シール体へ引っかかることがなくスムーズに装着でき、装着性能が向上するという効果を奏するものである。また、三角状凸体を設けたことにより、吸入口が設けられている面が補強されて変形が抑制されることから、風路シール体との当接状態が安定し、シール性が向上するという効果を奏するものである。さらには、三角状凸体を設けたことにより、吸入口が設けられている面が補強されて変形が抑制されることから、集塵ケースとフィルタ体の組合せ状態も安定し、フィルタ体シール体によるシール性も向上するという効果を奏するものである。
【００３７】
実施の形態４
図１４は本発明の実施の形態４における集塵ユニットの外観を示す斜視図、図１５は本発明の実施の形態４における集塵ユニットの断面図である。
なお、図１３及び図１４において、実施の形態１の図１から図１１に示した部分と同じ部分または相当する部分には同じ符号を付し、一部の説明を省略する。
【００３８】
図１４及び図１５により、本発明の実施の形態４における集塵ユニットの構成を説明する。図１４及び図１５に示すように、集塵ケース２５の風路シール体２３と対向する面には吸入口２９が設けられており、吸入口２９は、風路シール体２３側へ突出する方向に風路シール体２３とのシールが可能な高さになるよう吸入口２９よりも大きい範囲、例えば吸入口２９の端部から１５ｍｍから３０ｍｍ程度の範囲で、膨出部３８のように膨出させている。
【００３９】
以上の構成により、実施の形態１と同様に、集塵室に集塵ユニットを装着する際に膨出部がガイドとなってスムーズに装着でき、装着性能が向上するという効果を奏するものである。また、膨出部を設けたことにより、吸入口が設けられている面が補強されて変形が抑制されることから、風路シール体との当接状態が安定し、シール性が向上するという効果を奏するものである。さらには、膨出部を設けたことにより、吸入口が設けられている面が補強されて変形が抑制されることから、集塵ケースとフィルタ体の組合せ状態も安定し、フィルタ体シール体によるシール性も向上するという効果を奏するものである。
【００４０】
以上のことにより、本発明の電気掃除機は、吸引した塵埃を捕集する集塵ケースを備えた電気掃除機に広く利用することができる。
【符号の説明】
【００４１】
１  本体、２  ホース挿入口、３  ホースユニット、４  ホース、５  把持部、６  操作部、７  延長管、８  継手管、９  床用吸込具、１０  キャスタ、１１  車輪、１２  電源コード、１３  本体把持部、１４  蓋体、１５  蓋体ロック手段、１６  集塵室、１７  電動送風機室、１８  電動送風機、１９  隔壁、２０  制御部、２１  排気口、２２  本体前壁、２３  風路シール体、２４  集塵ユニット、２５  集塵ケース、２６  フィルタ体、２７  ヒンジ部、２８  フィルタ体シール体、２９  吸入口、３０  サイクロン部材、３１  集塵ユニット把持部、３２  全周リブ、３３（ａ〜ｆ）  三角状リブ小、３４（ａ〜ｆ）  三角状リブ大、３５  全周リブ、３６（ａ〜ｆ）  三角状凸体小、３７（ａ〜ｆ）  三角状凸体大、３８  膨出部
【図１】
2011010983.tif 000003
【図２】
2011010983.tif 000004
【図３】
2011010983.tif 000005
【図４】
2011010983.tif 000006
【図５】
2011010983.tif 000007
【図６】
2011010983.tif 000008
【図７】
2011010983.tif 000009
【図８】
2011010983.tif 000010
【図９】
2011010983.tif 000011
【図１０】
2011010983.tif 000012
【図１１】
2011010983.tif 000013
【図１２】
2011010983.tif 000014
【図１３】
2011010983.tif 000015
【図１４】
2011010983.tif 000016
【図１５】
2011010983.tif 000017